(57)【要約】【課題】誤動作によって押下ヘッドが押下されることを防止すると共に使用時に押下ヘッドをより容易に押下できる液体噴出器を提供すること。【解決手段】枠部材５には、押下ヘッド４を上方から覆い、かつ容器本体２の径方向に沿って延在する被覆片２３と、被覆片２３による押下ヘッド４の押し下げを規制する第１及び第２押下規制部２５、２８と、が設けられ、被覆片２３は、長手方向の中間部が押下ヘッド４を押し下げ可能な押下部３１とされ、一端部が回転軸線Ｏ’回りに回転自在に支持される支持部３２とされ、押下部３１と支持部３２との間に位置する部分が折曲部３３とされ、被覆片２３を回転軸線Ｏ’回りに回転させ、かつ被覆片２３において折曲部３３よりも長手方向の他端部側に位置する部分を折曲部３３回りに上方に向けて折り返すことにより、被覆片２３が第１及び第２押下規制部２５、２８による規制が解除された押下姿勢とされる。【選択図】図２
2010274984.tif 000002
【特許請求の範囲】
【請求項１】
内容物が収容される容器本体と、前記容器本体から上方付勢状態で押し込み可能に起立したステムに取り付けられた押下ヘッドと、前記容器本体に装着されて前記押下ヘッドを囲む枠部材と、を備える液体噴出器であって、
前記枠部材には、前記押下ヘッドを上方から覆い、かつ前記容器本体の径方向に沿って延在する被覆片と、前記被覆片による前記押下ヘッドの押し下げを規制する押下規制部と、が設けられ、
前記被覆片は、長手方向の中間部が前記押下ヘッドを押し下げ可能な押下部とされ、長手方向の一端部が前記枠部材に上下方向に延びる回転軸線回りに回転自在に支持される支持部とされ、前記押下部と前記支持部との間に位置する部分が折曲変形可能な折曲部とされ、
前記被覆片を前記回転軸線回りに回転させ、かつ前記被覆片において前記折曲部よりも長手方向の他端部側に位置する部分を前記折曲部回りに上方に向けて折り返すことにより、前記被覆片が前記押下規制部による前記押下ヘッドの押し下げの規制が解除された押下姿勢とされることを特徴とする液体噴出器。
【請求項２】
前記押下規制部が、前記折曲部を下側から支持する第１押下規制部と、前記被覆片の他端部を下側から支持する第２押下規制部と、を有することを特徴とする請求項１に記載の液体噴出器。
【請求項３】
前記枠部材が、前記押下姿勢にある前記被覆片が復元変形することを防止する復元変形規制部を有することを特徴とする請求項１または２に記載の液体噴出器。
【発明の詳細な説明】
【技術分野】
【０００１】
本発明は、液体噴出器に関するものである。
【背景技術】
【０００２】
液体噴出器としては、一般的に、容器本体から上方付勢状態で押し込み可能に起立したステムに取り付けられた押下ヘッドと、容器本体に取り付けられて押下ヘッドの周囲を囲む枠部材と、を備えるものが使用されている。このような液体噴出器においては、押下ヘッドが意図せずに押し下げられる誤動作を防止するために、押下ヘッドの押し下げ方向に対して直交する軸回りで回動可能な回動レバーを押下ヘッドに設けたものが提案されている（例えば、特許文献１参照）。この回動レバーには、押下ヘッドの押し下げ方向に延在するほぼ長方形をなし、回動レバーと共に回動する回動板が設けられている。
そして、回動レバーは、回動板が押下ヘッドと枠部材の上面とに接触して押下ヘッドの押し下げを規制する押下防止位置と、回動板が押下ヘッドと枠部材の上面との双方から離間して押下ヘッドの押し下げを可能とする押下可能位置との間に回動板を位置付ける。
この液体噴出器では、押下可能位置において押下ヘッドを押し下げることによって容器本体に収容された内容物が押下ヘッドから噴出される。
【先行技術文献】
【特許文献】
【０００３】
【特許文献１】特許第３９６４１６０号公報
【発明の概要】
【発明が解決しようとする課題】
【０００４】
しかしながら、上記従来の液体噴出器においても、使用時に押下ヘッドをより容易に押下できることが望まれている。
本発明は、前述の課題に鑑みてなされたもので、誤動作によって押下ヘッドが押下されることを防止すると共に使用時に押下ヘッドをより容易に押下できる液体噴出器を提供することを目的とする。
【課題を解決するための手段】
【０００５】
本発明は、上記のような課題を解決するために以下のような手段を採用した。すなわち、本発明の液体噴出器は、内容物が収容される容器本体と、前記容器本体から上方付勢状態で押し込み可能に起立したステムに取り付けられた押下ヘッドと、前記容器本体に装着されて前記押下ヘッドを囲む枠部材と、を備える液体噴出器であって、前記枠部材には、前記押下ヘッドを上方から覆い、かつ前記容器本体の径方向に沿って延在する被覆片と、前記被覆片による前記押下ヘッドの押し下げを規制する押下規制部と、が設けられ、前記被覆片は、長手方向の中間部が前記押下ヘッドを押し下げ可能な押下部とされ、長手方向の一端部が前記枠部材に上下方向に延びる回転軸線回りに回転自在に支持される支持部とされ、前記押下部と前記支持部との間に位置する部分が折曲変形可能な折曲部とされ、前記被覆片を前記回転軸線回りに回転させ、かつ前記被覆片において前記折曲部よりも長手方向の他端部側に位置する部分を前記折曲部回りに上方に向けて折り返すことにより、前記被覆片が前記押下規制部による前記押下ヘッドの押し下げの規制が解除された押下姿勢とされることを特徴とする。
【０００６】
この発明では、被覆片が押下ヘッドの上方を覆い、かつ押下規制部によって押下ヘッドの押し下げが規制されるため被覆片を押し下げても押下部が押し下げられることを防止し、被覆片を表裏反転させると押下規制部による規制が解除されるため被覆片の他端部を押し下げることでテコの原理で押下ヘッドを容易に押し下げることができる。
すなわち、押下規制部は、被覆片に加えられた押し下げる力を受け止めて押下ヘッドに伝達させない。このため、押下部が押下ヘッドを押し下げることが規制される。
また、回転軸線を中心として被覆片を回転させ、かつ折曲部回りで被覆片を上方に折り返すと、被覆片は表裏反転される。そして、被覆片は、表裏反転された状態で押下規制部による押し下げの規制が解除される。この状態で被覆片の他端部を押し下げると、押下部の一端側を支点、被覆片の他端部を力点、押下部と押下ヘッドとの接触点を作用点として、押下ヘッドはテコの原理で押し下げられる。つまり、支点と力点との距離を支点と作用点との距離よりも長くできるため、押下ヘッドを直接押し下げることと比較して押下ヘッドを小さな力で容易に押し下げることができる。
以上より、誤動作によって押下ヘッドが押下されることを防止すると共に使用時に押下ヘッドをより容易に押下できる。
【０００７】
また、本発明の液体噴出器は、前記押下規制部が、前記折曲部を下側から支持する第１押下規制部と、前記被覆片の他端部を下側から支持する第２押下規制部と、を有することが好ましい。
この発明では、第１及び第２押下規制部が被覆片において下方に変形しやすい折曲部と押下ヘッドの押し下げ時に力点となる被覆片の他端部とを下側から支持することにより、被覆片に加わった押し下げる力をより確実に受け止めることができる。
【０００８】
また、本発明の液体噴出器は、前記枠部材が、前記押下姿勢にある前記被覆片が復元変形することを防止する復元変形規制部を有することが好ましい。
この発明では、折曲部を起点とした折り返された部分が被覆片の弾性復元力によって復元変形することを防止することで、被覆片による押下ヘッドの押し下げ動作を安定させることができる。
【発明の効果】
【０００９】
この発明にかかる液体噴出器によれば、押下ヘッドを上方から覆う被覆片が押下ヘッドを押し下げることを押下規制部によって規制されていることで、誤動作によって押下ヘッドが押下されることを防止すると共に、被覆片を表裏反転させることでテコの原理で押下ヘッドをより小さな力で容易に押し下げることができる。
【図面の簡単な説明】
【００１０】
【図１】本発明の一実施形態における液体噴出器を示す平面図である。
【図２】図１の液体噴出器を示す断面図である。
【図３】図１の液体噴出器の使用状態を示す断面図である。
【図４】同じく、図１の液体噴出器の使用状態を示す平面図である。
【図５】図４の液体噴出器を示す断面図である。
【発明を実施するための形態】
【００１１】
以下、本発明による液体噴出器の一実施形態を、図面に基づいて説明する。なお、以下の説明に用いる各図面では、各部材を認識可能とするために縮尺を適宜変更している。
本実施形態における液体噴出器１は、図１及び２に示すように、容器本体２と、容器本体２から上方付勢状態で突設されたステム３と、ステム３に取り付けられた押下ヘッド４と、容器本体２に取り付けられた枠部材５と、を備えている。
図示の例では、容器本体２、押下ヘッド４及び枠部材５は、共通軸線上に配置されている。以下、この共通軸を容器軸Ｏと称し、容器軸Ｏに沿って押下ヘッド４側を上側、容器本体２側を下側とし、容器軸Ｏに直交する方向を径方向とし、さらに容器軸Ｏを中心に周回する方向を周方向とする。
【００１２】
容器本体２の上端開口部には、図２に示すように、マウンティングカップ１１が巻き締められている。
ステム３は、容器軸Ｏに沿って延在する筒状をなし、上方付勢状態で容器本体２に立設されており、下方に押し下げ可能に配設されている。
押下ヘッド４は、図１及び図２に示すように、有頂筒状をなしており、ステム３に嵌合する嵌合筒部１２を有する。そして、押下ヘッド４の径方向の外周面には、嵌合筒部１２の内側と連通する噴出口４Ａが形成された噴出部４Ｂが外周面から径方向の外側に向けて突出している。
【００１３】
枠部材５は、押下ヘッド４を囲む有頂筒状をなしており、天板部２１と、側壁部２２と、被覆片２３と、を備えている。
天板部２１は、平面視で円形をなす板状部材であり、押下ヘッド４の外周面を囲んでいる。また、天板部２１には、容器軸Ｏを通る直径方向に沿って径方向外側の一端部から他端部にわたって帯状の開口部２１Ａが形成されている。そして、この開口部２１Ａの下方に押下ヘッド４の上面が配置されている。また、天板部２１の開口部２１Ａの幅方向の各側縁部には、第１押下規制部２５と、復元変形規制部２６と、が形成されている。
【００１４】
第１押下規制部２５は、開口部２１Ａの延在方向の中間部分と噴出口４Ａ側の一端部との間に形成されており、天板部２１の下面から開口部２１Ａの幅方向の内側に向けて突出している。
復元変形規制部２６は、天板部２１よりも薄肉であり、開口部２１Ａの延在方向の中間部分に、開口部２１Ａ側縁面から幅方向の内側に向けて突出形成されている。
さらに、天板部２１の開口部２１Ａの幅方向の各側縁部における一端部と第１押下規制部２５との間には、上方を向きかつ開口部２１Ａに幅方向で近接するにしたがって薄肉となる第１傾斜面２１Ｂが形成されている。
【００１５】
側壁部２２は、ほぼ円筒状をなしている。そして、側壁部２２は、その内径がマウンティングカップ１１の外径と同等であり、マウンティングカップ１１の外側に嵌合されている。
側壁部２２における噴出口４Ａと向かい合う部分には、噴出口４Ａから噴出した内容物を通過させるための貫通孔２２Ａが形成されている。また、側壁部２２における貫通孔２２Ａの上端には、被覆片２３を取り付ける取付部２７が径方向の内側に向けて突出して形成されている。取付部２７には、被覆片２３の後述する取付軸部４１が挿入される取付孔部２７Ａが形成されている。
さらに、側壁部２２における貫通孔２２Ａと径方向で容器軸Ｏを挟んだ反対側の上端部には、径方向の内側に向けて突出する第２押下規制部２８が形成されている。また、側壁部２２における第２押下規制部２８よりも上側には、被覆片２３の後述する係合凸部４３Ａと係合する係合孔部２２Ｂが形成されている。
【００１６】
被覆片２３は、平面視で径方向に沿って延在するほぼ長方形の板状をなしており、押下ヘッド４の上方を覆っている。そして、被覆片２３は、長手方向の中間部が径方向に沿って平行に延びる押下部３１とされ、一端部が支持部３２とされ、押下部３１と支持部３２との間が折曲部３３とされ、他端部が操作部３４とされており、枠部材５に表裏反転可能に設けられている。
【００１７】
押下部３１は、押下ヘッド４の上面と平行に配置されており、押下ヘッド４の上方を覆っている。そして、押下部３１の折曲部３３側の端部における各側縁部には、下方を向きかつ開口部２１Ａに幅方向で近接するにしたがって薄肉となる第２傾斜面３１Ａが形成されている。第２傾斜面３１Ａは、第１傾斜面２１Ｂと向かい合っている。
また、押下部３１の第２傾斜面３１Ａよりも径方向内側には、押下部３１の幅方向に沿って形成された溝部によって変形容易部３１Ｂが形成されている。
さらに、押下部３１の中間部分における各側縁部には、復元変形規制部２６との接触を回避するための切欠部３１Ｃが形成されている。
【００１８】
支持部３２の下面には、下側に向けて突出する取付軸部４１が設けられている。そして、支持部３２は、取付軸部４１を取付孔部２７Ａに挿入することによって容器軸Ｏに平行な回転軸線Ｏ’回りで回転可能に取り付けられる。
折曲部３３は、支持部３２の径方向内側の端部に連設されており、押下部３１の幅方向に沿って延在している。そして、折曲部３３は、押下部３１及び支持部３２よりも薄肉かつ幅狭に形成されており、支持部３２や押下部３１よりも剛性が低くなっている。これにより、折曲部３３は、この折曲部３３を起点として被覆片２３を上方に向けて折り返し変形可能にする。
また、折曲部３３は、取付部２７の上面に配置されており、この折曲部３３を起点として被覆片２３が下方に向けて折り返し変形されることを規制する。
【００１９】
操作部３４は、押下部３１側から離間するにしたがって下方に向けて延在する傾斜部４２と、傾斜部４２の径方向外側の端部から上方に向けて垂直に延在する垂直部４３と、を有する。
傾斜部４２の径方向外側の端部は、第２押下規制部２８の上面に配置されている。また、垂直部４３の径方向外側を向く面には、径方向の外側に向けて突出して係合孔部２２Ｂと係合する係合凸部４３Ａが形成されている。さらに、垂直部４３の上端部は、径方向の外側に向けて折り曲げられている。
【００２０】
次に、以上のような構成の液体噴出器１の使用方法を説明する。液体噴出器１では、図１及び図２に示すように、被覆片２３が押下ヘッド４の上方を覆い、押下部３１と押下ヘッド４の上面との間に空隙が形成されている。このとき、折曲部３３は、取付部２７上で支持され、変形容易部３１Ｂは、第１押下規制部２５上で支持され、操作部３４の下端部は、第２押下規制部２８上で支持されている。このため、第１及び第２押下規制部２５、２８と取付部２７とは、押下部３１に加えられた押し下げる力を受け止め、押下ヘッド４の上面に伝達させない。したがって、第１及び第２押下規制部２５、２８と取付部２７とは、押下部３１を介して押下ヘッド４が押し下げられることを規制する。なお、押下ヘッド４が押し下げられなければ、押下部３１と押下ヘッド４の上面との間に空隙が形成されていなくてもよい。
以上のようにして、押下ヘッド４の誤動作が防止される。
【００２１】
次に、液体噴出器１から内容物を噴出させる際には、まず、操作部３４の垂直部４３を径方向内側に押し込んで係合凸部４３Ａと係合孔部２２Ｂとの係合を解除した後に、図３に示すように、被覆片２３を回転軸線Ｏ’回りで１８０°回転させる。このとき、被覆片２３の回転時に操作部３４が天板部２１に引っ掛からないように被覆片２３を上方に持ち上げながら回転軸線Ｏ’回りで回転させる。また、回転時において、第２傾斜面３１Ａの下面は、被覆片２３の回転時に第１傾斜面２１Ｂの上面を摺動する。これにより、被覆片２３は、回転軸線Ｏ’の近傍に位置する押下部３１の端部が天板部２１に引っ掛かることなくスムーズに回転される。
【００２２】
そして、図４及び図５に示すように、折曲部３３を起点として被覆片２３を上方に向けて折り返し変形させ、押下部３１及び操作部３４を表裏反転させる。このとき、押下部３１に形成された切欠部３１Ｃが平面視で第１押下規制部２５と重なって位置する。また、操作部３４は、折曲部３３を起点として被覆片２３を折り返すことによって第２押下規制部２８よりも径方向内側に位置する。このため、第１及び第２押下規制部２５、２８による被覆片２３の押し下げ規制が解除され、被覆片２３は、第１及び第２押下規制部２５、２８によって阻害されることなく押下ヘッド４の上面に接触可能となる。
また、この状態において、押下部３１の変形容易部３１Ｂは、支持部３２よりも径方向内側に位置し、押下部３１と操作部３４との接続部分は、平面視で押下ヘッド４の中心と一致する。
【００２３】
この状態で押下部３１を押し下げると、被覆片２３は、変形容易部３１Ｂを支点、押下部３１と操作部３４との接続部分を作用点、操作部３４を力点としたテコの原理によって押下ヘッド４を押し下げる。ここで、支点と力点との間に作用点が形成されているので、被覆片２３を押し下げる力が小さくても、被覆片２３によって押下ヘッド４が容易に押し下げられる。
このとき、操作部３４を押し下げると、押下部３１が復元変形規制部２６を乗り越えて天板部２１の下側に移動する。これにより、被覆片２３における折曲部３３で折り返された部分は、上方に向けて弾性復帰しようとしても、復元変形規制部２６に当接することで復元変形が規制される。
このようにして押下ヘッド４を押し下げると、押下ヘッド４の嵌合筒部１２に嵌合されたステム３が押し下げられ、容器本体２内部に収容されている内容物は、ステム３及び嵌合筒部１２の内部を介して噴出口４Ａから噴出される。
以上のようにして、液体噴出器１から内容物を噴出させる。
【００２４】
このような構成の液体噴出器１によれば、押下ヘッド４を上方から覆う被覆片２３が押下ヘッド４を押し下げることが第１及び第２押下規制部２５、２８によって規制されることで誤動作によって押下ヘッド４が押下されることを防止すると共に、被覆片２３を表裏反転させることでテコの原理で押下ヘッド４をより小さな力で容易に押し下げることができる。
また、折曲部３３を起点として折り返された部分によって被覆片が弾性復帰されることを復元変形規制部２６が防止することで、被覆片２３による押下ヘッド４の押し下げ動作を安定させることができる。
【００２５】
なお、本発明は上記実施形態に限定されるものではなく、本発明の趣旨を逸脱しない範囲において種々の変更を加えることができる。
例えば、上記実施形態では、被覆片を回転軸線回りで回転させた後に折曲部を起点として折り返すことによって押下姿勢としているが、被覆片を折曲部回りで垂直に起立させた後に回転軸線回りで回転させ、さらに被覆片を折曲部回りで折り返すことによって押下姿勢とするなど、他の方法で被覆片を押下姿勢としてもよい。
また、被覆片は、取付軸部を上下動可能な構成とし、被覆片全体を上方に持ち上げた状態で回転軸線回りに回転させ、さらに折曲部回りで折り返すことによって押下姿勢とされる構成としてもよい。
そして、被覆片は、板状に限らず、他の形状であってもよい。
さらに、枠部材は、押下ヘッドを周方向の全周にわたって囲むと共に貫通孔が形成された構成となっているが、押下ヘッドを周方向の全周にわたって囲まない構成であってもよい。
また、押下規制部は、折曲部を下側から支持すると共に被覆片の他端部を下側から支持する構成となっているが、他の構成であってもよい。
そして、被覆片には、変形容易部が形成されているが、被覆片の弾性変形によって押下ヘッドを押し下げることができれば、変形容易部が形成されていなくてもよい。
上記実施形態では、マウンティングカップを備えたエアゾール容器を例として記載しているが、容器内に配置されたシリンダ内に内容物を吸い上げ、吸い上げられた内容物を加圧してステムから吐出させる、いわゆるポンプ容器など、他の液体噴出器にも適用することが可能である。
【産業上の利用可能性】
【００２６】
この発明によれば、誤動作によって押下ヘッドが押下されることを防止すると共に使用時に押下ヘッドをより容易に押下できる液体噴出器に関して、産業上の利用可能性が認められる。
【符号の説明】
【００２７】
１  液体噴出器、２  容器本体、３  ステム、４  押下ヘッド、５  枠部材、２３  被覆片、２５  第１押下規制部、２６  復元変形規制部、２８  第２押下規制部、３１  押下部、３２  支持部、３３  折曲部、Ｏ  容器軸、Ｏ’  回転軸線
【図１】
2010274984.tif 000003
【図２】
2010274984.tif 000004
【図３】
2010274984.tif 000005
【図４】
2010274984.tif 000006
【図５】
2010274984.tif 000007